【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
一対の対向するマット縁部を備えるマットであって、前記マットが、前記対向するマット縁部間で分配され、第１の方向に整列されている複数の押出しポリマー弾性圧縮性要素を更に備え、隣接する弾性圧縮性要素が前記マットの第１の主面に近接する押出しポリマーランド部分によって互いに接続され、前記全ての弾性圧縮性要素が、
前記第１の方向に沿って測定される要素の長さと、前記要素の長さを横切って測定される要素幅、
前記要素の長さに沿って形成される開放スロットを備える中空の管状構造体であって、前記開放スロットが前記マットの前記第１の主面の方に開放し、前記要素幅より小さいスロット幅を備える中空の管状構造体、
を備えるマット。
【請求項２】
一対の対向するマット縁部、および前記対向するマット縁部間で分配され、第１の方向に整列されている複数の押出しポリマー弾性圧縮性要素を備える床マットであって、隣接する弾性圧縮性要素が前記床マットの第１の主面に近接する押出しポリマーランド部分によって互いに接続され、前記全ての弾性圧縮性要素が、
前記複数の弾性圧縮性要素の各弾性圧縮性要素の長さが、前記第１の方向で前記床マットと実質的に同一の広がりを持つ、前記第１の方向に沿って測定される要素の長さと、前記要素の長さを横切って測定される要素幅と、
前記要素の長さに沿って形成される開放スロットを備える中空の管状構造体であって、前記開放スロットが前記床マットの前記第１の主面の方に開放し、前記要素幅の７５％以下のスロット幅を備える中空の管状構造体、
を備える床マット。
【請求項３】
一対の対向するマット縁部を備えるマットであって、前記マットが、前記対向するマット縁部間で分配され、第１の方向に整列されている複数の押出しポリマー弾性圧縮性要素を更に備え、隣接する弾性圧縮性要素が前記マットの第１の主面に近接する押出しポリマーランド部分によって互いに接続され、前記全ての弾性圧縮性要素が、
前記第１の方向に沿って測定される要素の長さと、前記要素の長さを横切って測定される要素幅、
前記要素の長さに沿って形成される開放スロットを備える中空の管状構造体であって、前記開放スロットが前記マットの前記第１の主面の方に開放し、前記要素幅より小さいスロット幅を備える中空の管状構造体、
を備え、
マットの一側面上の最上部弾性圧縮性要素は、中空の部分管状要素と、中空の部分管状要素内に嵌合し、それによって保持されるように設計される補完的な合わせ要素を含むマットの反対側面上の最上部弾性要素とを含む、
マット。
【手続補正２】
【補正対象書類名】明細書
【補正対象項目名】００５５
【補正方法】変更
【補正の内容】
【００５５】
本発明の様々な変更および代替は、本発明の範囲から逸脱することなく当業者に明らかになり、本発明は、本明細書に記載される例示的な実施形態に不当に限定されず、特許請求の範囲に記載される限定、およびその限定のあらゆる等価物によって支配されることを理解すべきである。
本発明に関連する態様としては、以下のものがある。
本発明に関連する第一の態様は、一対の対向するマット縁部を備えるマットであって、前記マットが、前記対向するマット縁部間で分配され、第１の方向に整列されている複数の弾性圧縮性要素を更に備え、隣接する弾性圧縮性要素が前記マットの第１の主面に近接するランド部分によって互いに接続され、前記各弾性圧縮性要素が、前記第１の方向に沿って測定される要素の長さと、前記要素の長さを横切って測定される要素幅、前記要素の長さに沿って形成される開放スロットを備える中空の管状構造体であって、前記開放スロットが前記マットの前記第１の主面の方に開放し、前記要素幅より小さいスロット幅を備える中空の管状構造体、を備えるマットに関する。
本発明に関連する第二の態様は、前記第一の態様に関して、前記複数の弾性圧縮性要素の各弾性圧縮性要素の前記要素の長さが、前記第１の方向で前記マットと実質的に同一の広がりを持つマットに関する。
本発明に関連する第三の態様は、前記第一の態様に関して、前記スロット幅が前記要素幅の７５％以下であるマットに関する。
本発明に関連する第四の態様は、前記第一の態様に関して、前記スロット幅が前記要素幅の５０％以下であるマットに関する。
本発明に関連する第五の態様は、前記第一の態様に関して、前記スロット幅が前記要素幅の２５％以下であるマットに関する。
本発明に関連する第六の態様は、前記第一の態様に関して、隣接する弾性圧縮性要素を接続する前記ランド部分に、複数の排水開口部が形成されているマットに関する。
本発明に関連する第七の態様は、前記第一の態様に関して、前記複数の弾性圧縮性要素の各弾性圧縮性要素に、複数の排水開口部が形成されているマットに関する。
本発明に関連する第八の態様は、前記第一の態様に関して、前記対向するマット縁部上に合わせ構造体を更に備え、前記合わせ構造体が前記第１の方向に沿って延在しているマットに関する。
本発明に関連する第九の態様は、前記第一の態様に関して、前記複数の弾性圧縮性要素を被覆するシート要素を更に備え、前記シート要素が前記マットに保持されるマットに関する。
本発明に関連する第十の態様は、前記第一の態様に関して、前記複数の弾性圧縮性要素が、前記シート要素を保持するため、一対の干渉する要素を備えるマットに関する。
本発明に関連する第十一の態様は、前記第一の態様に関して、保持要素が前記複数の弾性圧縮性要素の一対の隣接する弾性圧縮性要素間に配置され、前記シート要素が、前記保持要素によって複数対の隣接する弾性圧縮性要素間に保持されるマットに関する。
本発明に関連する第十二の態様は、前記第一の態様に関して、前記複数の弾性圧縮性要素上に配置される横滑り防止粒子を更に備えるマットに関する。
本発明に関連する第十三の態様は、前記第一の態様に関して、前記マットの底部上に配置される横滑り防止剤を更に備えるマットに関する。
本発明に関連する第十四の態様は、一対の対向するマット縁部、および前記対向するマット縁部間で分配され、第１の方向に整列されている複数の弾性圧縮性要素を備える床マットであって、隣接する弾性圧縮性要素が前記床マットの第１の主面に近接するランド部分によって互いに接続され、前記各弾性圧縮性要素が、前記複数の弾性圧縮性要素の各弾性圧縮性要素の長さが、前記第１の方向で前記床マットと実質的に同一の広がりを持つ、前記第１の方向に沿って測定される要素の長さと、前記要素の長さを横切って測定される要素幅と、前記要素の長さに沿って形成される開放スロットを備える中空の管状構造体であって、前記開放スロットが前記床マットの前記第１の主面の方に開放し、前記要素幅の７５％以下のスロット幅を備える中空の管状構造体、を備える床マットに関する。
本発明に関連する第十五の態様は、第１の方向に沿って延在している、一対の対向するマット縁部を備えるマットであって、第１および第２の主面を備えるベースシート、前記ベースシートの前記第１の主面上で分配され、そこに取り付けられている複数の弾性圧縮性要素であって、前記複数の弾性圧縮性要素が前記対向するマット縁部間で分配され、前記第１の方向に整列されており、前記各弾性圧縮性要素が、前記第１の方向に沿って測定される要素の長さと、前記要素の長さを横切って測定される要素幅、および前記弾性圧縮性要素と前記ベースシートの前記第１の主面との間の接触幅であって、前記接触幅が前記要素幅より小さい、接触幅、を備えるマットに関する。
本発明に関連する第十六の態様は、前記第十五の態様に関して、前記ベースシートが前記第１の方向を横切る方向で非伸張性であるマットに関する。
本発明に関連する第十七の態様は、前記第十五の態様に関して、前記複数の弾性圧縮性要素の各弾性圧縮性要素が、前記第１の方向で前記マットと実質的に同一の広がりを持つ要素の長さを備えるマットに関する。
本発明に関連する第十八の態様は、前記第十五の態様に関して、前記接触幅が前記要素幅の７５％以下であるマットに関する。
本発明に関連する第十九の態様は、前記第一の態様に関して、前記接触幅が前記要素幅の５０％以下であるマットに関する。
本発明に関連する第二十の態様は、前記第一の態様に関して、前記接触幅が前記要素幅の２５％以下であるマットに関する。
本発明に関連する第二十一の態様は、前記第十五の態様に関して、前記複数の弾性圧縮性要素の各弾性圧縮性要素が、中空の管状構造体を備えるマットに関する。
本発明に関連する第二十二の態様は、前記第十五の態様に関して、前記複数の弾性圧縮性要素の各弾性圧縮性要素が、中実の構造体を備えるマットに関する。
本発明に関連する第二十三の態様は、前記第十五の態様に関して、前記ベースシートに複数の排水開口部が形成されているマットに関する。
本発明に関連する第二十四の態様は、前記第十五の態様に関して、前記複数の弾性圧縮性要素の各弾性圧縮性要素に、複数の排水開口部が形成されているマットに関する。
本発明に関連する第二十五の態様は、前記第十五の態様に関して、前記対向するマットの側部に合わせ構造体を更に備え、前記合わせ構造体が前記マットの長さに沿って延在しているマットに関する。
本発明に関連する第二十六の態様は、前記第十五の態様に関して、前記複数の弾性圧縮性要素を被覆するシート要素を更に備え、前記シート要素が前記マット上に保持されるマットに関する。
本発明に関連する第二十七の態様は、前記第二十六の態様に関して、前記複数の弾性圧縮性要素が、一対の干渉する弾性圧縮性要素を備え、前記干渉する弾性圧縮性要素が前記シート要素を保持するマットに関する。
本発明に関連する第二十八の態様は、前記第二十六の態様に関して、保持要素が前記複数の弾性圧縮性要素の一対の隣接する弾性圧縮性要素間に配置され、前記シート要素が、前記保持要素によって複数対の隣接する弾性圧縮性要素間に保持されるマットに関する。
本発明に関連する第二十九の態様は、前記第十五の態様に関して、前記複数の弾性圧縮性要素上に配置される横滑り防止粒子を更に備えるマットに関する。
本発明に関連する第三十の態様は、前記第十五の態様に関して、前記ベースシートの前記第２の主面上に配置される横滑り防止剤を更に備えるマットに関する。